(57)【要約】【課題】本発明の課題は、室内機の奥行きを薄く見せることができる空気調和機の室内機を提供することにある。【解決手段】空気調和機の室内機１は、本体２と、カバー部材９とを備えている。本体２は、前面側上面５３と、背面側段差部５１とを有する。背面側段差部５１は、前面側上面５３よりも低くなるように形成されている。背面側段差部５１は、壁に埋めることが可能である。カバー部材９は、前面側上面５３に隣接して配置されている。カバー部材９は、背面側段差部５１の長さよりも短い幅を有している。カバー部材９は、背面側段差部５１の一部を覆う。【選択図】図４
2007183013.tif 000002
【特許請求の範囲】
【請求項１】
前面側上面（５３）と、前面側上面（５３）よりも低くなるように形成され、壁に埋めることが可能な背面側段差部（５１）とを有する本体（２）と、
前記前面側上面（５３）に隣接して配置され、前記背面側段差部（５１）の長さ（Ｌ１）よりも短い幅（Ｌ２）を有しており、前記背面側段差部（５１）の一部を覆うカバー部材（９）と、
を備えている、
床置き型の空気調和機の室内機（１）。
【請求項２】
前記本体（２）の前面側上面（５３）と前記カバー部材（９）とを合わせた前側奥行き寸法（Ｌ３）は、前記カバー部材（９）を装着した状態の前記背面側段差部（５１）における外部に露出する残りの奥行き寸法である背面側奥行き寸法（Ｌ４）よりも大きい、
請求項１に記載の室内機（１）。
【請求項３】
前記カバー部材（９）の幅（Ｌ２）は、前記背面側段差部（５１）の長さ（Ｌ１）の７／８〜３／８である、
請求項１に記載の室内機（１）。
【請求項４】
前記カバー部材（９）は、前記前面側上面（５３）と同じ色であって前記背面側段差部（５１）よりも薄い色に着色されている、
請求項１に記載の室内機（１）。
【発明の詳細な説明】
【技術分野】
【０００１】
本発明は、空気調和機の室内機に関する。
【背景技術】
【０００２】
従来の床置き型の空気調和機の室内機には、特許文献１記載のように壁に埋め込んで設置することが可能な室内機がある。この室内機は、本体ケーシングに壁に埋め込まれる背面側埋入部分を有している。室内機を壁に埋め込まない場合には、埋入部分は、カバーで覆われている。カバーは、埋入部分の上面および両側面を覆うためにコの字状の部材である。カバーは、埋入部分の奥行きと同一の幅を有しており、カバーは、埋入部分の全体を覆い隠すことが可能である。
【特許文献１】特開平１０−３００１８６号公報
【発明の開示】
【発明が解決しようとする課題】
【０００３】
しかし、特許文献１記載の室内機は、埋入部分をカバーで覆った状態では、本体の前面側の上面とカバーの上面とが合わさった部分を前方のやや斜め上方またはやや斜め側方から見たときに、室内機の奥行きが長く見えてしまい、室内機の外観を美しく見せることが困難である。
本発明の課題は、室内機の奥行きを薄く見せることができる空気調和機の室内機を提供することにある。
【課題を解決するための手段】
【０００４】
第１発明の空気調和機の室内機は、本体と、カバー部材とを備えている。本体は、前面側上面と、背面側段差部とを有する。背面側段差部は、前面側上面よりも低くなるように形成されている。背面側段差部は、壁に埋めることが可能である。カバー部材は、前面側上面に隣接して配置されている。カバー部材は、背面側段差部の長さよりも短い幅を有している。カバー部材は、背面側段差部の一部を覆う。
ここでは、カバー部材は、前面側上面に隣接して配置され、本体の背面側段差部の長さよりも短い幅を有しており、背面側段差部の一部を覆っているので、背面側段差部よりも短い幅のカバー部材によって、室内機の奥行きを短く見せることが可能である。
【０００５】
第２発明の空気調和機の室内機は、第１発明の空気調和機の室内機であって、前側奥行き寸法は、背面側奥行き寸法よりも大きい。前側奥行き寸法は、本体の前面側上面とカバー部材とを合わせた寸法である。背面側奥行き寸法は、カバー部材を装着した状態の背面側段差部における外部に露出する残りの奥行き寸法である。
ここでは、本体の前面側上面とカバー部材とを合わせた前側奥行き寸法は、カバー部材を装着した状態の背面側段差部における外部に露出する残りの奥行き寸法である背面側奥行き寸法よりも大きい。したがって、本体の前面側上面およびカバー部材を目立たせることができ、その結果、室内機の奥行きを短く見せることが可能である。
【０００６】
第３発明の空気調和機の室内機は、第１発明の空気調和機の室内機であって、カバー部材の幅は、背面側段差部の長さの７／８〜３／８である。
ここでは、カバー部材の幅は、背面側段差部の長さの７／８〜３／８であるので、本体の前面側上面およびカバー部材をより効果的に目立たせることができ、その結果、室内機の奥行きを短く見せる視覚効果を向上させることが可能である。
【０００７】
第４発明の空気調和機の室内機は、第１発明の空気調和機の室内機であって、カバー部材は、前面側上面と同じ色であって背面側段差部よりも薄い色に着色されている。
【０００８】
ここでは、カバー部材は、前面側上面と同じ色であって背面側段差部よりも薄い色に着色されている。したがって、カバー部材および前面側上面を背面側段差部よりも薄い色で目立たせることが可能である。その結果、室内機の奥行きを短く見せる視覚効果を向上させることが可能である。
【発明の効果】
【０００９】
第１発明によれば、背面側段差部よりも短い幅のカバー部材によって、室内機の奥行きを短く見せることができる。
第２発明によれば、本体の前面側上面およびカバー部材を目立たせることができる。その結果、室内機の奥行きを短く見せることができる。
第３発明によれば、本体の前面側上面およびカバー部材をより効果的に目立たせることができる。その結果、室内機の奥行きを短く見せる視覚効果を向上させることができる。
【００１０】
第４発明によれば、カバー部材および前面側上面を背面側段差部よりも薄い色で目立たせることができる。その結果、室内機の奥行きを短く見せる視覚効果を向上させることができる。
【発明を実施するための最良の形態】
【００１１】
以下、図面を参照しながら、本発明の実施形態に係わる空気調和機の室内機について説明する。
図１〜図５に示される空気調和機の室内機１は、床置き型の室内機であり、本体２と、室内熱交換器３と、ファン４と、シャッタ５と、ステップモータ６と、フィルタ７と、前面グリル８と、カバー部材９と、前面パネル１０とを備えている。本体２の前面に配置される前面パネル１０は、フラット（平坦）な形状をしている。
【００１２】
本体２には、室内熱交換器３と、ファン４と、シャッタ５と、ステップモータ６と、フィルタ７と、前面グリル８とが収納されている。
室内機１は、居室の床に据え置いた状態で使用される。室内機１は、本体２を居室の壁の表面に接触させて設置するだけでなく、図３および図５に示されるように、後述するカバー部材９を取り外すことにより、本体２の背面側段差部５１を居室の壁に埋め込んだ状態で設置することも可能である。
【００１３】
＜本体２の構成＞
本体２は、図４および図５に示されるように、合成樹脂製の中空の筐体からなる。
本体２において壁に埋め込むことが可能な背面側段差部５１は、図５に示されるように、前面側上面５３よりも低くなるように形成されている。背面側段差部５１を覆うカバー部材９の高さは、前面側上面５３の高さと同一になるように設定されている。
【００１４】
本体２の内部には、図４に示されるように、前面側に形成された前面側開口２ａから後方へ向かって、フィルタ７、室内熱交換器３、ファン４が順に配置されている。
本体２の前面側開口２ａの周縁には、前面グリル８が取り付けられている。前面グリル８には、フィルタ７がはめ込まれている。
本体２の前面側開口２ａの前方には、前面側開口２ａから浮かせた状態で平坦な前面パネル１０が配置されている。
【００１５】
前面パネル１０は、上下左右の四方において上部吸込口１１ａ、下部吸込口１１ｂ、第１側部吸込口１１ｃおよび第２側部吸込口１１ｄを有している。具体的には、前面パネル１０は、本体２から前方に離間して配置されているので、前面パネル１０の上側と左右両側の三方には、３カ所の上部吸込口１１ａ、第１側部吸込口１１ｃ、および第２側部吸込口１１ｄ（図１参照）が形成されている。また、前面パネル１０の下部であって下部吹出口２５よりも若干上方の位置には、スリット状の下部吸込口１１ｂが形成されている。これにより、前面パネル１０の上下左右の四方向において、それぞれ吸込口１１ａ、１１ｂ、１１ｃ、１１ｄが配置されている。
【００１６】
前面パネル１０の上部および下部には、嵌合突起１０ａ、１０ｂがそれぞれ形成されている。嵌合突起１０ａ、１０ｂを前面グリル８の嵌合凹部８ａおよび本体２の前面下端付近の嵌合穴２ｂにそれぞれ嵌合させることにより、前面パネル１０は、本体２の前面側開口２ａから浮かせた状態で固定される。
本体１には、吸込通路Ｐ１と、上部吹き出し通路Ｐ２と、下部吹き出し通路Ｐ３とが形成されている。
【００１７】
吸込通路Ｐ１は、前面パネル１０の四方の上部吸込口１１ａ、下部吸込口１１ｂ、第１側部吸込口１１ｃ、または第２側部吸込口１１ｄのうちのいずれかの吸込口を通って、前面側開口２ａを通して本体２に入り、フィルタ７、室外熱交換器３、ファン４の順に通る通路である。
上部吹き出し通路Ｐ２は、ファン４から上部空間部２７を通って上部吹出口２４へ向かう通路である。上部吹出口２４は、本体２の前面側開口２ａの上方に形成されている。上部吹出口２４には、開閉可能な可動板２６が配置されている。
【００１８】
下部吹き出し通路Ｐ３は、ファン４から下部空間部２８を通って下部吹出口２５へ向かう通路である。下部吹出口２５は、本体２の前面側開口２ａの下方に形成されている。下部空間部２８には、開閉可能なシャッタ５が配置されている。さらに、下部空間部２８の内部には、閉状態でシャッタ５に当接するストッパ３７が形成されている。また、前面パネル１０における下部吹出口２５の前方側の部分には、水平方向に延びる複数のスリット１０ｃが形成されている。
【００１９】
＜ファン４の構成＞
ファン４は、遠心方向に風を吹き出す遠心ファンの一種であるターボファンであり、図４に示されるように、ファンロータ４１と、モータ４２と、ファンケーシング４３とを備えている。ファンロータ４１は、中心４１ｂから螺旋を描きながら離れるように配置された複数枚の羽根４１ａ（図４の斜線部分）を有している。
【００２０】
ファンケーシング４３は、ファンロータ４１およびモータ４２を収納したケーシングである。ファンケーシング４３の上部は、本体２の上部空間部２７と連通している。ファンケーシング４３の下部は、本体２の下部空間部２８と連通している。
ファン４で生成された遠心方向へ吹き出す空気流れは、ファンケーシング４３から上下に分岐して上部吹き出し通路Ｐ２および下部吹き出し通路Ｐ３をそれぞれ通り、そののち上部吹出口２４および下部吹出口２５からそれぞれ本体２の外部に排出される。
【００２１】
＜カバー部材９の構成＞
カバー部材９は、図３〜図５に示されるように、本体２の背面側段差部５１の一部を覆う部材であり、背面側段差部５１の上面および両側面を覆うためにコの字状に形成されている。カバー部材９は、ネジ５２によって本体２に固定されている。
また、カバー部材９は、図５に示されるように、分割可能な複数のカバー要素５５、５６、５７、５８を有している。カバー要素５５、５６、５７、５８は、背面側段差部５１が壁に埋め込まれる方向Ｄに沿って並ぶ。カバー部材９は、カバー要素５５、５６、５７、５８が一体になるように合成樹脂で製造されている。
【００２２】
カバー部材９は、図５に示されるように、本体２の前面側上面５３の背面側に隣接して配置されている。カバー部材９は、背面側段差部５１の長さＬ１よりも短い幅Ｌ２を有している。したがって、室内機１を前方のやや斜め上方またはやや斜め側方から見たときに、短い幅Ｌ２のカバー部材９がカバー部材９から露出した背面側段差部５１における外部に露出する残りの部分５１ａよりも目立つので、室内機１の奥行きを短く見せることが可能である。
【００２３】
また、図３に示されるように、本体２の前面側上面５３とカバー部材９とを合わせた前側奥行き寸法Ｌ３は、カバー部材９を装着した状態の背面側段差部５１における外部に露出する残りの奥行き寸法である背面側奥行き寸法Ｌ４よりも大きい。したがって、本体２の前面側上面とカバー部材９とを合わせた奥行き寸法Ｌ３を、カバー部材９を装着した状態の背面側段差部５１における外部に露出する残りの奥行き寸法Ｌ４よりも大きくして、本体２の前面側上面５３およびカバー部材９を目立たせることによって、室内機１の奥行きを短く見せることができる。
【００２４】
カバー部材９の幅Ｌ２は、背面側段差部５１の長さＬ１の７／８〜３／８であれば、本体２の前面側上面５３およびカバー部材９をより効果的に目立たせることが可能であり、室内機１の奥行きを短く見せることができる。
また、カバー部材９の厚さにもよるが、カバー部材９の幅Ｌ２が背面側段差部５１の長さＬ１の７／８〜６／８程度の場合、室内機１を前方のやや斜め上方から見たときに、カバー部材９の後縁９ａによって、カバー部材９から露出した背面側段差部５１における外部に露出する残りの部分５１ａが隠されるので、本体２の前面側上面５３およびカバー部材９しか見えなくなるので、室内機１の奥行きを短く見せることができる。
【００２５】
カバー部材９は、本体２の前面側上面５３と同じ色であって背面側段差部５１よりも薄い色に着色されている。例えば、本体２の背面側段差部５１は、黒またはグレー等の濃い色に着色され、一方、カバー部材９および本体２の前面側上面５３は、背面側段差部５１よりも薄い色である白色またはアイボリー等の薄い色に着色されている。このようにカバー部材９および前面側上面５３を背面側段差部５１よりも薄い色で目立たせることによって、室内機１の奥行きを短く見せる視覚効果を向上させることが可能である。
【００２６】
また、本実施形態のカバー部材９では、カバー部材９の複数のカバー要素５５、５６、５７、５８のうちの１つまたは複数個を分割することによって、本体２の背面側段差部５１が壁に埋め込まれる埋込み量に合わせてカバー部材９の幅を段階的に調整可能である。
また、カバー部材９は、カバー部材９の外周面において、本体２の周方向に延びる溝５０を有している。溝５０は、複数のカバー要素５５、５６、５７、５８の境界付近に形成されている。これにより、カバー部材９は、溝５０に沿って、カバー部材９の複数のカバー要素５５、５６、５７、５８のうちの１つまたは複数個を分割することが可能である、
溝５０は、カバー部材９を合成樹脂で製造する際に同時に成型したり、カバー部材９を成型後に切削加工するなどによって形成される。
【００２７】
さらに、カバー部材９は、本体２の周方向に延びる自立部としてリブ５９を有する。リブ５９は、カバー要素５５、５６、５７にそれぞれ形成されている。このリブ５９によって、カバー部材９の強度を向上することが可能である。
リブ５９は、本体２の背面側段差部５１の前後方向において溝５０とずれた配置されているので、溝５０に沿ってカバー要素５５、５６、５７、５８を分割するときに、溝５０から生じる亀裂とリブ５９とが干渉することがない。しかも、溝５０の直近の位置でリブ５９がカバー要素５５、５６、５７のそれぞれを補強しているので、分割時においてカバー要素５５、５６、５７の変形を抑えることが可能である。これにより、溝５０に沿ってカバー要素５５、５６、５７、５８を容易に分割することが可能になる。
【００２８】
＜室内機１の使用状態についての説明＞
図６（ａ）に示されるように、室内機１が壁Ｗに埋め込まれた状態で室内の床に設置される場合、室内機１は、本体２の背面側段差部５１が壁Ｗに埋め込まれるとともに前面側上面５３および前面側側面５４が外部に露出した状態で使用される。このとき、居室者からは室内機１の前面側上面５３および前面側側面５４しか見えないので、室内機１の奥行きは短く見える。
【００２９】
一方、図６（ｂ）に示されるように、室内機１を壁Ｗに埋め込まないで床に設置される場合、室内機１は、背面側段差部５１にカバー９を取り付けた状態で使用される。このとき、居室者が室内機１を前方のやや斜め上方またはやや斜め側方から見たときに、短い幅のカバー部材９が背面側段差部５１よりも目立ち、室内機１の奥行きは、見かけ上、前面側上面５３（または前面側側面５４）およびカバー部材９を合わせた奥行きに見える。したがって、室内機１の奥行きを短く見せることが可能である。
【００３０】
とくに、カバー部材９および前面側上面５３を背面側段差部５１よりも薄い色で目立たせることによって、濃い色で着色された背面側段差部５１が相対的に目立ちにくくなり、室内機１の奥行きを短く見せる視覚効果を向上させることが可能である。
さらに、カバー部材９の外側には、少なくとも１本の溝５０が形成されているので、室内機１全体の奥行きが薄く見えるという視覚効果を奏することが可能である。
【００３１】
ここで、比較例として、図６（ｃ）に示されるように、従来の床置き型室内機１０１を壁Ｗに埋め込まないで床に設置される場合を考える。この場合、室内機１０１は、背面側段差部の全体を覆うようにカバー１０９を取り付けた状態で使用される。この状態の室内機１０１を居室者が前方のやや斜め上方またはやや斜め側方から見れば、カバー部材１０９の幅が厚いので、室内機１の奥行きは非常に長く見える。
【００３２】
＜特徴＞
（１）
実施形態の室内機１では、カバー部材９は、前面側上面５３に隣接して配置され、本体２の背面側段差部５１の長さＬ１よりも短い幅Ｌ２を有しており、背面側段差部５１の一部を覆っている。したがって、室内機１を前方のやや斜め上方またはやや斜め側方から見たときに、短い幅Ｌ２のカバー部材９がカバー部材９から露出した背面側段差部５１における外部に露出する残りの部分５１ａよりも目立つので、室内機１の奥行きを短く見せることが可能である。
【００３３】
（２）
実施形態の室内機１では、本体２の前面側上面５３とカバー部材９とを合わせた前側奥行き寸法Ｌ３は、カバー部材９を装着した状態の背面側段差部５１における外部に露出する残りの奥行き寸法である背面側奥行き寸法Ｌ４よりも大きい。したがって、本体２の前面側上面５３およびカバー部材９を目立たせることができ、その結果、室内機１の奥行きを短く見せることが可能である。
【００３４】
（３）
実施形態の室内機１では、カバー部材９の幅Ｌ２は、背面側段差部５１の長さＬ１の７／８〜３／８である。したがって、本体２の前面側上面５３およびカバー部材９をより効果的に目立たせることができ、その結果、室内機１の奥行きを短く見せる視覚効果を向上させることが可能である。
【００３５】
（４）
実施形態の室内機１では、カバー部材９は、前面側上面５３と同じ色であって背面側段差部５１よりも薄い色に着色されている。したがって、カバー部材９および前面側上面５３を背面側段差部５１よりも薄い色で目立たせることが可能である。その結果、室内機１の奥行きを短く見せる視覚効果を向上させることが可能である。
【００３６】
（５）
実施形態の室内機１では、カバー部材９の外側に少なくとも１本の溝５０が形成されているので、室内機１全体の奥行きが薄く見えるという視覚効果を奏することが可能である。
【００３７】
＜変形例＞
（Ａ）
実施形態では、カバー部材９を取り外して本体２の背面側段差部５１を居室の壁に埋め込む室内機１の設置方法が説明されているが、本発明はこれに限定されるものではない。変形例として、薄い壁の場合には、カバー部材９を背面側段差部５１に取り付けた状態で背面側段差部５１の一部を埋め込むことによって、室内機１を設置することも可能である。
（Ｂ）
実施形態では、カバー部材９の外側に溝５０が形成されているが、本発明はこれに限定されるものではなく、カバー部材９の内側、またはカバー部材９の内外両側に溝５０を形成してもよい。この場合も、カバー部材９を容易に分割することが可能である。
【産業上の利用可能性】
【００３８】
本発明は、壁への埋込みが可能な空気調和機の室内機に適用することが可能である。
【図面の簡単な説明】
【００３９】
【図１】本発明の実施形態に係わる空気調和機の室内機の正面図。
【図２】図１の室内機の側面図。
【図３】図１の室内機のカバー部材を取り外した状態の斜視図。
【図４】図１の室内機の縦断面図。
【図５】図４の室内機におけるカバー部材付近の拡大断面図。
【図６】図１の室内機の使用状態を示した側面図であって、（ａ）は壁に埋め込まれた状態、（ｂ）はカバーを付けた状態、（ｃ）は（ｂ）との比較のための従来の室内機におけるカバーを付けた状態についてのそれぞれの側面図。
【符号の説明】
【００４０】
１  室内機
２  本体
３  室内熱交換器
４  ファン
５  シャッタ
６  ステップモータ
７  フィルタ
８  前面グリル
９  カバー部材
１０  前面パネル
２４  上部吹出口
２５  下部吹出口
２７  上部空間部
２８  下部空間部
５１  背面側段差部
５３  前面側上面
【図１】
2007183013.tif 000003
【図２】
2007183013.tif 000004
【図３】
2007183013.tif 000005
【図４】
2007183013.tif 000006
【図５】
2007183013.tif 000007
【図６】
2007183013.tif 000008
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
前面側上面（５３）と、前面側上面（５３）よりも低くなるように形成され、壁に埋めることが可能な背面側段差部（５１）とを有する本体（２）と、
前記前面側上面（５３）に隣接して配置され、前記背面側段差部（５１）の長さ（Ｌ１）よりも短い幅（Ｌ２）を有しており、かつ、前記背面側段差部（５１）が壁に埋め込まれる方向に沿って並ぶ分割可能な複数のカバー要素（５５、５６、５７、５８）を有しており、前記背面側段差部（５１）の上面および両側面を覆うカバー部材（９）と、
を備えており、
前記カバー部材（９）は、前記背面側段差部（５１）に当接する自立部（５９）を有し、
前記自立部（５９）は、前記本体（２）の周方向に延び、前記カバー要素（５５、５６、５７、５８）にそれぞれ形成されており、かつ、
前記カバー部材（９）は、前記背面側段差部（５１）上面および両側面の一部を覆っており、それに対して、前記背面側段差部（５１）の残りの部分は、外部に露出している、
床置き型の空気調和機の室内機（１）。
【請求項２】
前記本体（２）の前面側上面（５３）と前記カバー部材（９）とを合わせた前側奥行き寸法（Ｌ３）は、前記カバー部材（９）を装着した状態の前記背面側段差部（５１）における外部に露出する残りの奥行き寸法である背面側奥行き寸法（Ｌ４）よりも大きい、
請求項１に記載の室内機（１）。
【請求項３】
前記カバー部材（９）の幅（Ｌ２）は、前記背面側段差部（５１）の長さ（Ｌ１）の７／８〜３／８である、
請求項１に記載の室内機（１）。
【請求項４】
前記カバー部材（９）は、前記前面側上面（５３）と同じ色であって前記背面側段差部（５１）よりも薄い色に着色されている、
請求項１に記載の室内機（１）。
【手続補正２】
【補正対象書類名】明細書
【補正対象項目名】０００４
【補正方法】変更
【補正の内容】
【０００４】
第１発明の空気調和機の室内機は、本体と、カバー部材とを備えている。本体は、前面側上面と、背面側段差部とを有する。背面側段差部は、前面側上面よりも低くなるように形成されている。背面側段差部は、壁に埋めることが可能である。カバー部材は、前面側上面に隣接して配置されている。カバー部材は、背面側段差部の長さよりも短い幅を有している。カバー部材は、背面側段差部が壁に埋め込まれる方向に沿って並ぶ分割可能な複数のカバー要素を有している。カバー部材は、背面側段差部の上面および両側面を覆う。カバー部材は、背面側段差部に当接する自立部を有している。自立部は、本体の周方向に延び、カバー要素にそれぞれ形成されている。しかも、カバー部材は、背面側段差部の上面および両側面の一部を覆っている。それに対して、背面側段差部の残りの部分は、外部に露出している。
ここでは、本体の背面側段差部を覆うカバー部材が背面側段差部が壁に埋め込まれる方向に沿って並ぶ分割可能な複数のカバー要素を有しているので、複数のカバー要素の一部を取り外すことによって、背面側段差部が壁に埋め込まれる埋込み量に合わせてカバー部材の幅を段階的に調整することが可能である。また、カバー部材は背面側段差部に当接する自立部を有しており、自立部が本体の周方向に延びているので、カバー部材の強度を向上することが可能である。しかも、自立部がカバー要素にそれぞれ形成されているので、自立部が各カバー要素を補強することによってカバー部材の分割を容易にすることが可能である。
しかも、カバー部材は、前面側上面に隣接して配置され、本体の背面側段差部の長さよりも短い幅を有しており、背面側段差部の上面および両側面の一部を覆い、カバー部材に覆われていない背面側段差部の残りの部分が外部に露出しているので、背面側段差部よりも短い幅のカバー部材によって、室内機の奥行きを短く見せることが可能である。
【手続補正３】
【補正対象書類名】明細書
【補正対象項目名】０００９
【補正方法】変更
【補正の内容】
【０００９】
第１発明によれば、室内機本体の背面側段差部が壁に埋め込まれる埋込み量に合わせてカバー部材の幅を段階的に調整することができる。また、カバー部材の強度を向上することができ、カバー部材の分割を容易にすることができる。しかも、背面側段差部よりも短い幅のカバー部材によって、背面側段差部の一部を覆い、残りの部分を外部に露出することが可能になり、室内機の奥行きを短く見せることができる。
第２発明によれば、本体の前面側上面およびカバー部材を目立たせることができる。その結果、室内機の奥行きを短く見せることができる。
第３発明によれば、本体の前面側上面およびカバー部材をより効果的に目立たせることができる。その結果、室内機の奥行きを短く見せる視覚効果を向上させることができる。